(57)【特許請求の範囲】
【請求項１】
引き戸の下端面の案内レールの案内溝に係入して引き戸を振れ止めする案内部材を含む床側案内ユニットに対向して前記引き戸の下端で前記案内レールの端部に並んで配置される引き戸の振れ止め案内装置用戸側誘導ユニットであって、
前記引き戸の下端面で前記案内レールの端部に並んで配置されるフレームと、
前記フレームに枢支され前記床側案内ユニットの案内部材を磁気的に吸引して前記フレーム内に誘導するように磁気的に吸引する磁気的吸引部材と、
前記磁気的吸引部材を前記床側案内ユニットから離れるように床面の突出物で押し上げることによって上向きに枢動することができるが、下向きには枢動することができないように、前記磁気的吸引部材を前記フレームに支持する一方向可動機構と、
前記一方向可動機構を解放する解放手段と、
を備えたこと
を特徴とする引き戸の振れ止め案内装置用戸側誘導ユニット。
【請求項２】
請求項１に記載の引き戸の振れ止め案内装置用戸側誘導ユニットであって、
前記一方向可動機構は、前記磁気的吸引部材の自由端に設けられたラチェット歯と、前記フレームに設けられて前記ラチェット歯に噛み合うラチェット爪とを含むラチェット機構であること
を特徴とする引き戸の振れ止め案内装置用戸側誘導ユニット。
【請求項３】
請求項２に記載の引き戸の振れ止め案内装置用戸側誘導ユニットであって、
前記ラチェット爪は、前記ラチェット歯に噛み合う方向にばね付勢され、前記引き戸の組み付け時に前記ラチェット歯から手動で外すことができるように前記フレームに枢支されていること
を特徴とする引き戸の振れ止め案内装置用戸側誘導ユニット。
【請求項４】
請求項１乃至３のいずれかに記載の引き戸の振れ止め案内装置用戸側誘導ユニットであって、
前記フレームは、前記案内レールに整列し、前記フレームから前記案内レールの案内溝に前記案内部材を誘導する誘導レール部分を有し、
前記誘導レール部分は、前記案内部材が誘導される部分にテーパ溝を有すること
を特徴とする引き戸の振れ止め案内装置用戸側誘導ユニット。
【請求項５】
引き戸の下端面の案内レールの案内溝に係入して前記引き戸を振れ止めする案内部材を含む床側案内ユニットと、前記床側案内ユニットに対向して前記引き戸の下端で前記案内レールの端部に並んで配置される戸側誘導ユニットとの組み合わせから成り、
前記戸側誘導ユニットは、
前記引き戸の下端面で前記案内レールの端部に並んで配置されるフレームと、
前記床側案内ユニットの案内部材を磁気的に吸引して前記フレーム内に誘導するように磁気的に吸引する磁気的吸引部材と、
前記磁気的吸引部材を前記床側案内ユニットから離れるように床面の突出物で押し上げることによって上向きに枢動することができるが、下向きには枢動することができないように、前記磁気的吸引部材を前記フレームに支持する一方向可動機構と、
前記一方向可動機構を解放する解放手段と、
を備えていること
を特徴とする引き戸の振れ止め案内装置。
【請求項６】
請求項５に記載の引き戸の振れ止め案内装置であって、
前記一方向可動機構は、前記磁気的吸引部材の自由端に設けられたラチェット歯と、前記フレームに設けられて前記ラチェット歯に噛み合うラチェット爪とを含むラチェット機構であること
を特徴とする引き戸の振れ止め案内装置。
【請求項７】
請求項６に記載の引き戸の振れ止め案内装置であって、
前記ラチェット爪は、前記ラチェット歯に噛み合う方向にばね付勢され、前記引き戸の組み付け時に前記ラチェット歯から手動で外すことができるように前記フレームに枢支されていること
を特徴とする引き戸の振れ止め案内装置。
【請求項８】
請求項５乃至７のいずれかに記載の引き戸の振れ止め案内装置であって、
前記フレームは、前記案内レールに整列し、前記フレームから前記案内レールの案内溝に前記案内部材を誘導する誘導レール部分を有し、
前記誘導レール部分は、前記案内部材が誘導される部分にテーパ溝を有すること
を特徴とする引き戸の振れ止め案内装置。
【請求項９】
請求項５乃至８のいずれかに記載の引き戸の振れ止め案内装置であって、
前記磁気的吸引部材を押上げるものは、前記床側案内ユニットの案内部材であること
を特徴とする引き戸の振れ止め案内装置。
【発明の詳細な説明】
【技術分野】
【０００１】
本発明は、引き戸を開閉する際に振れ止めしながら戸本体を案内する引き戸の振れ止め案内装置の案内部材を作動状態に誘導するのに用いられる戸側誘導ユニット及びこの誘導ユニットを用いた引き戸の振れ止め案内装置の改良に関するものである。
【背景技術】
【０００２】
従来技術による１つの形態の引き戸の振れ止め案内装置が特許文献１に開示されており、この文献に開示された振れ止め案内装置は、天井等に取り付けられた複数の平行な走行レールに走行自在に吊り下げられた戸本体（特許文献１で符号３によって示されたもの）の下端面に走行方向に延びる案内溝付き案内レール２５を有し、このレール２５の案内溝の拡大端部で戸本体の下面に取り付けられた磁気的吸引部材４１を含む戸側誘導ユニット２０と、この磁気的吸引部材４１によって吸引されて戸本体３の案内レール２５の案内溝の拡大端部を通して案内溝内に係入するように誘導される案内部材１１を含む床側案内ユニット１０とから成っている。引き戸の戸本体３が開状態から閉状態の方向又はその逆の方向に移動する際に、戸側誘導ユニット２０の磁気的吸引部材４１が床側案内ユニット１０の案内部材１１を磁気的に吸引してこの案内部材１１をレール案内溝の拡大端部を通して案内溝内に係入するように誘導し、戸本体３の移動につれて案内部材１１がレール２５の狭い案内溝内を相対的に走行して引き戸の横振れを防止している。【０００３】
この種の振れ止め案内装置を有する引き戸を建物に取り付けるために、引き戸の戸本体３を走行レールに懸吊して建物に設置するが、この際、床側案内ユニット１０の案内部材１１に磁気的に有効に吸引することができるように戸側誘導ユニットの磁気的吸引部材４１を所定位置になるように設定する必要がある。特許文献１に示す引き戸の振れ止め案内装置においては、この磁気的吸引部材４１は、戸本体３の下端凹壁に枢支ピン４５で枢支され、ばね４２によって押圧されて位置設定ねじ４８に係合されるアーム４１Ｂを備えている。磁気的吸引部材４１は、位置設定ねじ４８を進退することによってばね４２に抗して又はばね４２に付勢されて所定位置に設定される。【０００４】
しかし、ねじ４８による磁気的吸引部材４１の位置設定は、作業者が床にかがんでねじ４８をドライバで回して行うので、作業し難い上に、ねじ４８の回動で調節される位置を安定して精度よく設定することが難しい欠点があった。
【先行技術文献】
【特許文献】
【０００５】
【特許文献１】特開２０１０-１７４４７６号公報
【発明の概要】
【発明が解決しようとする課題】
【０００６】
本発明が解決しようとする１つの課題は、磁気的吸引部材の位置設定を自動的に行うことができる引き戸の案内装置用戸側誘導ユニットを提供することにある。【０００７】
本発明が解決しようとする他の課題は、磁気的吸引部材の位置設定を自動的に行うことができる引き戸の振れ止め案内装置を提供することにある。
【課題を解決するための手段】
【０００８】
本発明の第１の課題解決手段は、引き戸の下端面の案内レールの案内溝に係入して引き戸を振れ止めする案内部材を含む床側案内ユニットに対向して前記引き戸の下端で前記案内レールの端部に並んで配置される引き戸の振れ止め案内装置用戸側誘導ユニットであって、前記引き戸の下端面で前記案内レールの端部に並んで配置されるフレームと、前記フレームに枢支され前記床側案内ユニットの案内部材を磁気的に吸引して前記フレーム内に誘導するように磁気的に吸引する磁気的吸引部材と、前記磁気的吸引部材を前記床側案内ユニットから離れるように押し上げられることによって上向きに枢動することができるが、下向きには枢動することができないように前記フレームに支持する一方向可動機構と、前記一方向可動機構を解放する解放手段とを備えたことを特徴とする引き戸の振れ止め案内装置用戸側誘導ユニットを提供することにある。【０００９】
本発明の第１の課題解決手段において、一方向可動機構は、磁気的吸引部材の自由端に設けられたラチェット歯と、フレームに設けられてラチェット歯に噛み合うラチェット爪とを含むラチェット機構の形態とすることができる。【００１０】
この場合、ラチェット爪は、ラチェット歯に噛み合う方向にばね付勢され、引き戸の組み付け時にラチェット歯から手動で外すことができるようにフレームに枢支されている形態とすることができる。【００１１】
また、本発明の第１の課題解決手段において、フレームは、案内レールに整列する誘導レール部分を有するのが好ましく、この場合、誘導レール部分は、案内部材が誘導される部分にテーパ溝を有すると一層望ましい。【００１２】
本発明の第２の課題解決手段は、引き戸の下端面の案内レールの案内溝に係入して前記引き戸を振れ止めする案内部材を含む床側案内ユニットと、前記床側案内ユニットに対向して前記引き戸の下端で前記案内レールの端部に並んで配置される戸側誘導ユニットとの組み合わせから成り、前記戸側誘導ユニットは、前記引き戸の下端面で前記案内レールの端部に並んで配置されるフレームと、前記床側案内ユニットの案内部材を磁気的に吸引して前記フレーム内に誘導するように磁気的に吸引する磁気的吸引部材と、前記磁気的吸引部材を前記床側案内ユニットから離れるように押し上げられることによって上向きには枢動することができるが、下向きには枢動することができないように前記フレームに支持する一方向可動機構と、前記一方向可動機構を解放する解放手段とを備えていることを特徴とする引き戸の振れ止め案内装置を提供することにある。【００１３】
本発明の第２の課題解決手段において、一方向可動機構は、磁気的吸引部材の自由端に設けられたラチェット歯と、フレームに設けられてラチェット歯に噛み合うラチェット爪とを含むラチェット機構の形態とすることができる。【００１４】
この場合、ラチェット爪は、ラチェット歯に噛み合う方向にばね付勢され、引き戸の組み付け時にラチェット歯から手動で外すことができるようにフレームに枢支されている形態とすることができる。【００１５】
また、本発明の第２の課題解決手段において、フレームは、案内レールに整列する誘導レール部分を有するのが好ましく、この場合、誘導レール部分は、案内部材が誘導される部分にテーパ溝を有すると一層望ましい。【００１６】
第２の課題解決手段において、床側案内ユニットの案内部材の頭部が床面から突出していると、床面に接触するように落下させた磁気的吸引部材は、この案内部材の頭部によって浮き上がるので、作業者は、磁気的吸引部材の浮き上がり高さを設定するような突出物を置く必要がなく、設定作業が一層容易となる。
【発明の効果】
【００１７】
本発明によれば、上記のように、引き戸の振れ止め案内装置の戸側誘導ユニットは、引き戸の下端面の案内レールの案内溝に整列するフレームに取り付けられて床側案内ユニットの案内部材を磁気的に吸引して誘導する磁気的吸引部材と、この磁気的吸引部材を床側案内ユニットから離れるように押し上げられることによって上向きに枢動することができるが、下向きには枢動することができないようにフレームに支持する一方向可動機構と、この一方向可動機構を解放する解放手段とを備えているので、引き戸を建物に設置する際に、ラチェット解放手段で磁気的吸引部材の自由端が床に接するまで落下し、引き戸の開閉方向への移動によって床との間隔を設定する突出物によって持ち上げるだけで磁気的吸引部材の自由端を一方向可動機構によって所定の高さ位置まで上昇して磁気的吸引部材を床面に対して所定高さ位置に設定することができ、戸側誘導ユニットの位置設定を自動的に行うことができ、従って従来技術のように、作業者がかがんで床に接近する低い姿勢を維持しながらドライバでねじを回して磁気的吸引部材を位置調節するような面倒な作業を必要とすることがなく、引き戸の案内装置の設定を自動的に容易に行うことができる。【００１８】
特に、磁気的吸引部材の自由端を持ち上げる突出物が床側案内ユニットの案内部材の頭部であると、この案内部材の頭部が、戸側誘導ユニットの磁気的吸引部材の端部を持ち上げる作用を有するので、案内部材に対して適正な位置に磁気的吸引部材を持ち上げることができ、案内装置の設置を一層容易に行うことができる。
【図面の簡単な説明】
【００１９】
【図１】本発明の振れ止め案内装置を備えた引き戸の正面図である。
【図２】図１の引き戸の案内レールとその両端の戸側誘導ユニットを分解して示す斜視図である。
【図３】本発明の振れ止め案内装置に用いられる床側案内ユニットを示し、同図（Ａ）乃至（Ｇ）は、それぞれ、この案内ユニットの分解斜視図、非案内位置にある案内ユニットの斜視図及び垂直断面図、案内位置にある案内ユニットの斜視図、側面図、正面図及び（Ｅ）のＧ−Ｇ線断面図である。
【図４】本発明の案内装置に用いられる戸側誘導ユニットの分解斜視図である。
【図５】図４の戸側誘導ユニットの設置前の状態を示し、同図（Ａ）乃至（Ｅ）は、それぞれ、このユニットの上側から俯瞰した斜視図、下側から俯瞰した斜視図、正面図、下面図及び垂直断面図である。
【図６】図４の戸側誘導ユニットの設置の際の異なる状態を示し、同図（Ａ）（Ｂ）は、それぞれ、解放状態の垂直断面図及び位置設定状態の垂直断面図である。
【図７】本発明の案内装置の戸側誘導ユニットの設置時の動きを順次示す垂直断面図である。
【図８】図７とほぼ同じであるが、図１乃至図７のものとは異なる床側案内ユニットを用いた案内装置の戸側誘導ユニットの動きを順次示す垂直断面図である。
【図９】図８の実施の形態の案内装置に用いられている床側案内ユニットを示し、同図（Ａ）乃至（Ｄ）は、それぞれ、この案内ユニットの非案内状態の斜視図、案内状態の斜視図、非案内状態の垂直断面図及び分解斜視図である。
【発明を実施するための形態】
【００２０】
本発明の第１の実施の形態による振れ止め案内装置２０を備えた引き戸１０が図１及び図２に示されており、図面では、引き戸１０は、１つの戸本体１２のみが設置されているのが示されているが、実際には多数の引き戸が同じ列又は異なる列に設置される。この戸本体１２は、天井等の上壁１４に支持された走行レール１６に複数の吊りローラ１８を介して走行自在に吊り下げて支持されている。
【００２１】
振れ止め案内装置２０は、図２に示すように、戸本体１２の下端面に取り付けられ戸本体１２の下面に沿って走行方向に延びる案内溝３２を有する案内レール３０と、後に述べる戸側誘導ユニットによって案内レール３０に誘導されて戸本体１２を振れ止めしつつ案内するように床に対して昇降する案内部材４２（図３参照）を含んで床側に取り付けられる床側案内ユニット４０と、案内レール３０の両端で戸本体１２の下端面１２Ｌに取り付けられ床側案内ユニット４０の案内部材４２を磁気的に吸引する磁気吸引部材５２(図５参照)を含んで案内部材４２を案内レール３０の案内溝３２に係入するように誘導する戸側誘導ユニット５０とから成っている。
【００２２】
床側案内ユニット４０は、図３に示すように、床Ｇの穴ＧＧ内に埋め込まれた鍔付基体４４と、この基体４４の相対する案内スロット４４Ｓ内を昇降する保持ピン４６Ｐによって保持されつつ基体４４内に摺動自在に設けられた中間保持部材４６と、この中間保持部材４６の相対する案内スロット４６Ｓ内を昇降する脚状突部４８Ｌを有する上部保持部材４８とから成っている。案内部材４２は、両端が半円形である略矩形状の案内板４２Ｐの形態を有し、この案内板４２Ｐは、その中心に設けられた二又部４２Ｔを保持ピン４２ＴＰによって上部保持部材４８の薄肉頭部４８Ｈに取り付けて上部保持部材４８に枢支されている。なお、図３（Ｃ）（Ｇ）に示された符号４４Ｂは、基体４４の鍔４４Ｆを床Ｇに止めるねじである。
【００２３】
案内板４２Ｐは、図３（Ｃ）（Ｇ）に示すように、外周に丸みを有して立ち上がる外周縁４２ＰＥを有し、案内板４２Ｐが図３（Ｃ）の非案内状態にあるとき、この案内板４２Ｐは、基体４４の鍔４４Ｆを覆うようになっている。後に述べる戸側誘導ユニット５０の磁気的吸引部材５２が案内板４２Ｐを磁気的に吸引するために、案内板４２Ｐは、磁性材料から作られている。
【００２４】
図３の形態の床側案内ユニット４０は、中間保持部材４６と上部保持部材４８とが入れ子式に組み合わせられているので、非案内状態で短い高さで畳まれ、穴ＧＧは、浅くて済み、取り付け作業が容易となる。
【００２５】
戸側誘導ユニット５０は、図４に示すように、引き戸１０の案内レール３０の案内溝３２に整列するテーパ溝５２Ｇを含むフレーム５２と、床側案内ユニット４０の案内部材４２を磁気的に吸引してフレーム５２のテーパ溝５２Ｇ(図５（Ｂ）参照)内に誘導するように磁気的に吸引する磁気的吸引部材５４と、この磁気的吸引部材５４を床面の突出物によって床側案内ユニット４０から離れるように上向きには枢動することができるが、下向きには枢動することができないようにフレーム５２に支持する一方向可動機構５６と、この一方向可動機構５６を解放する解放手段５８とを備えている（図５（Ｅ）及び図６参照）。
【００２６】
フレーム５２は、図４乃至図６に示すように、案内レール３０とほぼ同じ外形で下面が開口する断面略四角の形態を有し、テーパ溝５２Ｇは、案内レール３０の案内溝３２に向けて幅が狭くなるように案内レール３０側の端部下壁の誘導レール部分５２Ｌに形成されている（図５（Ｂ）参照）。このテーパ溝５２Ｇは、後に述べるように、磁気的吸引部材５４によって吸引されて上昇する床側の案内部材４２を戸本体１２の走行につれて相対的に案内レール３０の案内溝に誘導するためのものである。なお、フレーム５２は、案内レール３０とは反対側の端部に立ち上がり部５２Ｒを有し、この立ち上がり部５２Ｒは、戸本体１２の端部の取り付け溝１２Ｇ（図２参照）内に係入して保持されている。
【００２７】
磁気的吸引部材５４は、フレーム５２内で案内レール３０側の端部に枢支ピン５４ＰＰで枢動自在に支持され（図４参照）、その自由端は、その上方に取り付けられた案内ピン５４ＧＰをフレーム５２の弧状溝５２Ｓに係入して保持されている。従って、磁気的吸引部材５４は、枢支ピン５４ＰＰを支点として案内ピン５４ＧＰをフレーム５２の弧状溝５２Ｓに沿って摺動しながら上下に円弧運動しながら昇降することができる。
【００２８】
図示の形態では、磁気的吸引部材５４は、図４に示すように、上面が開いて両側壁５４ＳＷを有する帯板５４Ｓから成っており、この帯板５４Ｓの上面には２つの矩形状のへこみ５４ＳＵを有し、これらのへこみ５４ＳＵにそれぞれマグネット５４Ｍが取り付けられている。従って、床側案内ユニット４０と戸側誘導ユニット５０において、磁気的吸引部材５４のマグネットが磁性体である案内部材４２を磁気的に吸引して案内部材４２を持ち上げて浮き上がらせるが、磁気的吸引部材５４が磁性体から成っていて案内部材４２がマグネットを搭載していてもよいし、磁気的吸引部材５４と案内部材４２との両方が互いに引き合うマグネットであってもよい。
【００２９】
一方向可動機構５６は、図５（Ｅ），図６（Ａ）（Ｂ）に示すように、磁気的吸引部材５４の自由端側の立ち上がり部５４Ｒの前面に設けられた複数のラチェット歯５６Ｔとフレーム５２の外端壁に設けられたラチェット爪５６Ｐとを含むラチェット機構から成っている。後に詳細に述べるように、磁気的吸引部材５４が床Ｇに接するまで下降した状態で磁気的吸引部材５４が何らかの手段によって押し上げられることによって持ち上げられ（又は浮き上がらせられると）、磁気的吸引部材５４は、ラチェット歯５６Ｔがラチェット爪５６Ｐを乗り越えて上昇することができるが、磁気的吸引部材５４から持ち上げる力が解放されても、ラチェット爪５６Ｐがラチェット歯５６Ｔに食い込んで磁気的吸引部材５４を下降することがない。
【００３０】
解放手段５８は、フレーム５２の外端部に枢支ピン５８Ｐによって枢支されラチェット爪５６Ｐを有するラチェット解放部材５８Ｍから成っており、このラチェット解放部材５８Ｍは、ラチェット爪５６Ｐを有する側とは反対側の部分でばね５８Ｓによって押圧してラチェット爪５６Ｐを磁気的吸引部材５４側のラチェット歯５６Ｔに押し付けるように付勢されている。この解放手段５８は、ばね５８Ｓに抗してラチェット解放部材５８Ｐを押圧することによって爪５６Ｐを磁気的吸引部材５４のラチェット歯５６Ｔから解放して磁気的吸引部材５４を自重で下降することができる。
【００３１】
次に、本発明の引き戸の振れ止め案内装置２０を有する引き戸１０を建物に設置する場合の作業工程を図７を参照して以下に述べる。
【００３２】
本発明の振れ止め案内装置２０を有する引き戸１０を建物に設置する場合、引き戸の走行レール１６に合わせて床Ｇに間隔をあけて複数の床側案内ユニット４０を取り付ける。引き戸１０の戸本体の下面には、案内レール３０の両端に戸側誘導ユニット５０が取り付けられる（図１、図７参照）。この状態では、戸側誘導ユニット５０の磁気的吸引部材５４は、フレーム５２から突出することなく、フレーム５２内に納まっている（図７（Ａ）参照）。
【００３３】
図１の左側の１つの戸側誘導ユニット５０の磁気的吸引部材５４の高さ位置の設定作業を説明すると、床側案内ユニット４０に対して戸本体１２の走行方向（左方向）の後方に戸側誘導ユニット５０がある図７（Ａ）の状態において、戸側誘導ユニット５０の解放手段５８のラチェット解放部材５８Ｍの上方を押し込むと、ばね５８Ｓに抗してラチェット解放部材５８Ｍが図７（Ｂ）に示すように時計方向に搖動し、ラチェット爪５６Ｐをラチェット歯５６Ｔから解放するので、磁気的吸引部材５４は、枢支ピン５４ＰＰを支点に自重で下方に枢動し、その前端が床Ｇに接触する。
【００３４】
この状態において、図７では図示していない戸本体１２を図７の左方向に走行すると、その下側の前端に取り付けられている戸側誘導ユニット５０が同じ方向に移動するため、床Ｇに接触している磁気的吸引部材５４が床側案内ユニット４０の案内部材４２によって持ち上げられる（図７（Ｃ）参照）。一方向可動機構５６であるラチェット機構は、磁気的吸引部材５４の持ち上げによってラチェット歯５６Ｔは、ラチェット爪５６Ｐを滑って上昇するのを許す。
【００３５】
戸本体１２が更に左方向に移動するにつれて、戸側誘導ユニット５０は、図７（Ｃ）の状態から図７（Ｄ）（Ｅ）（Ｆ）を経て図７（Ｇ）の状態まで移動する。図７（Ｄ）の状態では、磁気的吸引部材５４が床側案内ユニット４０の案内部材４２をマグネット５４Ｍによって磁気的に吸引し、案内部材４２である案内板４２Ｐが磁気的吸引部材５４の帯板５４Ｓの下面に吸着される。案内板４２Ｐは、保持ピン４２ＴＰによって上部保持部材４８に枢支されているので、この保持ピン４２ＴＰを支点にして首振りし磁気的吸引部材５４の帯板５４Ｓの下面に全面的に吸着される。
【００３６】
戸本体１２が更に左方向に走行して図７（Ｅ）の状態になると、案内部材４２（案内板４２Ｐ）が戸側誘導ユニット５０のフレーム５２のテーパ溝５２Ｇを有する誘導レール部分５２Ｌの上方に達するので、戸本体１２の更なる走行によって案内部材４２は、磁気的吸引部材５４から磁気に抗して離反しつつ誘導レール部分５２Ｌから案内レール３０に相対的に誘導される（図７（Ｆ）参照）。従って、その後、戸本体１２は、案内部材４２が案内レール３０に沿って案内されるので、横振れすることなく、走行する。
【００３７】
一方、磁気的吸引部材５４は、図７（Ｃ）の状態で一方向可動機構（ラチェット機構）によってその下端が案内部材４２によって持ち上げられた位置に保持されて床Ｇから浮き上がったままであり、その後の戸本体の走行でも床Ｇから案内部材４２が突出する高さを維持しながら磁気的吸引部材５４が戸本体１２と共に移行する（図７（Ｇ）参照）。
【００３８】
図示の形態では、床側案内ユニット４０の案内部材４２が床Ｇから突出していてこの案内部材４２の突出部を利用して戸側誘導ユニット５０の磁気的吸引部材５４を床Ｇから浮き上がらせているが、床側案内ユニット４０の案内部材４２は、必ずしも、床Ｇから突出させる必要はなく、床Ｇと上面と同じ面又は床Ｇの上面から僅かに引っ込んだ状態で床Ｇ内に埋め込んでもよい。この場合、戸側誘導ユニット５０の磁気的吸引部材５４の浮き上がりは、例えば、戸本体１２が図７（Ｂ）の位置にあるとき、床側案内ユニット４０の案内部材４２よりも戸本体１２に寄った位置で磁気的吸引部材５４を持ち上げるような補助板片を作業者が床Ｇに置いて戸本体１２をこの補助板片に向けて走行するか、図７（Ｂ）の位置で同様の補助板片を作業者が磁気的吸引部材５４の下面に差し込んで、磁気的吸引部材５４を押し上げることによって浮き上がらせ、その後戸側誘導ユニット５０が床側案内ユニット４０の上を通過するように戸本体１２を走行させてもよい。なお、短い補助板片ではなく、例えば、作業者がストリップ状の押し上げ部材を床上に斜めに沿わせて戸本体１２の走行によって磁気的吸引部材５４を押し上げてもよい。
【００３９】
図８及び図９は、図１乃至図７の実施の形態の振れ止め案内装置２０に用いられた床側案内ユニット４０を変形した形態であって符号１４０で示された床側案内ユニットを示す。この形態では、床側案内ユニット１４０の案内部材１４２は、垂直杆部１４２Ｒとその上端に一体に設けられた板状の頭部１４２Ｈとから成っていて垂直断面がＴ字形の形態である。この案内部材１４２は、図９（Ｂ）（Ｄ）に示すように、頭部１４２Ｈが露呈するように抜け止め状態で筒状保持部材１４６内に保持されている。案内部材１４２の抜け止めは、垂直杆部１４２Ｒの下端に設けられた外鍔１４２ＲＦと筒状保持部材１４６の上端内鍔１４６ＵＦとで行われる。
【００４０】
床Ｇの穴ＧＧに埋め込まれる基体１４４は、ほぼ円形の水平断面を有し、穴ＧＧの内壁面に圧入によって取り付けられている。この基体１４４は、上端に小さな外鍔１４４Ｆを有し、この外鍔１４４Ｆが床Ｇの上面に載るように取り付けられる。
【００４１】
この基体１４４は、その中心から偏心した保持孔１４４Ｈを有し、筒状保持部材１４６とその中に保持される案内部材１４２とは、この偏心保持孔１４４Ｈ内に抜け止め状態で保持されている。筒状保持部材１４６は、その下端外鍔１４６ＬＦと偏心保持孔１４４Ｈの上端内鍔１４４ＵＦとで抜け止めされる（図９（Ｃ）参照）。案内部材１４２の頭部１４２Ｈは、基体１４４の上面から露出している。
【００４２】
基体１４４は、その上面に露出する案内部材１４２の頭部１４２Ｈを囲むようにして基体１４４の上面に取り付けられるＣ字形の上添板１４４Ｔを有する。図９から解るように、案内部材１４２と上添え板１４４Ｔとは、戸側誘導ユニット５０の磁気的吸引部材５４の浮き上がりを容易にするため、丸みを有して立ち上がる周縁を有する。なお、図９（Ｂ）（Ｄ）において、符号１４４ＬＣは、基体１４４の偏心保持孔１４４Ｈを閉じる下蓋である。
【００４３】
上添え板１４４ＴがＣ字形であると、側方で開く凹部があるので、図９（Ｂ）に示すように、案内部材１４２を持ち上げて案内部材１４２と基体１４４との間にたまるゴミを刷毛等によって容易に取り除くことができるので有利である。
【００４４】
この変形された実施の形態でも、図８（Ａ）乃至（Ｇ）に示すように、図８（Ａ）の磁気的吸引部材５４がフレーム５２に引き込まれた上昇位置から解放手段５８によって床Ｇに接触するように下降し（図８（Ｂ）参照）、その後、この磁気的吸引部材５４は、戸本体１２の走行につれて床側の案内部材１４２又は上添え板１４４Ｔによって浮き上がり、一方向可動（ラチェット）機構５６によってこの浮き上がり状態に維持されたまま（図８（Ｃ）参照）、案内部材１４２を吸着し、誘導レール部分５２Ｌを介して案内レール３０に誘導する（図８（Ｄ）（Ｅ）（Ｆ）参照）。この変形された実施の形態では、案内部材１４２の頭部１４２Ｈは、前の実施の形態のように、首振りしないので、案内部材１４２の頭部１４２Ｈは、磁気的吸引部材５４に部分的に吸着されることになる（図８（Ｄ）乃至（Ｆ）参照）。この案内ユニット１４０は、案内部材１４２が円形の基体１４４に対して偏心しているので、穴ＧＧに対して基体１４４を適宜の角度位置で圧入することによって案内部材１４２の戸本体１２に対する位置の設定を容易に行うことができる。
【００４５】
図示の形態では、フレーム５２の誘導レール部分５２Ｌは、テーパ溝５２Ｇを有するが、案内部材４２又は１４２が入り込む部分があれば、テーパ溝でなくてもよいし、またフレーム５２の長さが小さく、フレーム５２内に入り込んだ案内部材４２又は１４２が吸引された後、フレーム５２から直ちに案内レール３０に誘導することができれば、誘導レール部分５２Ｌがなくてもよい。
【産業上の利用可能性】
【００４６】
本発明によれば、上記のように、床側案内ユニットの案内部材を吸引して案内レールに誘導する戸側誘導ユニットの磁気的吸引部材を案内部材に磁気的に有効に作用する高さの範囲で床面から浮き上がらせる作業を簡単に行うことができるので、産業上の有益に利用することができる。
【符号の説明】
【００４７】
Ｇ        床
ＧＧ      穴
１０      引き戸
１２      戸本体
１２Ｇ    取付け溝
１４      天井等の上壁
１６      走行レール
１８      吊りローラ
２０      振れ止め案内装置
３０      案内レール
３２      案内溝
４０、１４０  床側案内ユニット
４２、１４２  案内部材
４２Ｐ    案内板
４２ＰＥ  立ち上がり外周縁
４２Ｔ    二又部
４２ＴＰ  保持ピン
４４      鍔付基体
４４Ｂ    ねじ
４４Ｆ    鍔
４４Ｓ    案内スロット
４６      中間保持部材
４６Ｐ    保持ピン
４８      上部保持部材
４８Ｈ    薄肉頭部
４８Ｌ    脚状突部
５０      戸側誘導ユニット
５２      フレーム
５２Ｇ    テーパ溝
５２Ｌ    誘導レール部分
５２Ｓ    弧状スロット
５２Ｒ    立ち上がり部
５４      磁気的吸引部材
５４ＰＰ  枢支ピン
５４ＧＰ  案内ピン
５４Ｓ    帯板（ストリップ）
５４ＳＷ  両側壁
５４ＳＵ  矩形状へこみ
５４Ｍ    マグネット
５４Ｒ    前部立ち上がり部
５６      一方向可動機構（ラチェット機構）
５６Ｔ    ラチェット歯
５６Ｐ    ラチェット爪
５８      方向性解放手段（ラチェット解放手段）
５８Ｍ    ラチェット解放部材
５８Ｐ    枢支ピン
５８Ｓ    ばね
１４０      床側案内ユニット
１４２      案内部材
１４２Ｒ    垂直杆部
１４２ＲＦ  外鍔
１４２Ｈ    板状の頭部
１４４      基体
１４４Ｆ    外鍔
１４４Ｈ    偏心保持孔
１４４ＵＦ  上端内鍔
１４４Ｔ    上添え板
１４４ＬＣ  下蓋
１４６      筒状保持部材
１４６ＵＦ  上端内鍔
１４６ＬＦ  下端外鍔
【図１】
0005921709.tif 000002
【図２】
0005921709.tif 000003
【図３】
0005921709.tif 000004
【図４】
0005921709.tif 000005
【図５】
0005921709.tif 000006
【図６】
0005921709.tif 000007
【図７】
0005921709.tif 000008
【図８】
0005921709.tif 000009
【図９】
0005921709.tif 000010